(57)【要約】【課題】  画像データが欠損することなく、また、余分な余白部分が少ない画像を手差しトレイの用紙に画像を形成し、画像形成品質の向上を図ると共に、画像欠損、余白の少ない画像形成を実施するかをユーザが選択することができる画像形成装置を提供することを目的とする。【解決手段】  原稿サイズ検知センサ５０１で検知した原稿サイズと用紙サイズ検知センサ５４１で読み取った用紙サイズをＣＰＵ５２３にて比較し、比較結果を表示部５３１に表示させ、選択部５３２で、読み取り部５００で読み取った原稿の画像データを回転処理または拡大・縮小処理をさせるか選択し、選択した処理を画像処理部５２１で行い、画像処理部５２１で画像処理した画像データを画像形成部５１０で画像形成を行う。【選択図】  図７
2006072224.tif 000002
【特許請求の範囲】
【請求項１】
定型サイズの複数の種類の用紙を複数枚搭載可能な給紙トレイ装置を１つあるいは複数個有し、前記給紙トレイ装置とは別に、該給紙トレイ装置でセットされた用紙とは別種の用紙を一時的に給紙可能な手差し給紙装置と、原稿を読み取る読み取り手段によって読み取った画像データを前記用紙に画像形成する画像形成手段とを有する画像形成装置において、
前記手差し給紙装置にセットされた用紙の搬送方向及び主走査・副走査方向のサイズを検出する用紙サイズ検出手段と、
前記原稿サイズを検出する原稿サイズ検出手段と、
前記用紙サイズ検出手段による検出結果と前記画像データのサイズ検出手段による検出結果とを比較する比較手段と、
前記比較手段による比較結果を表示させる表示手段と、
前記表示手段に表示された表示結果に応じて、前記画像データを回転させるか拡大・縮小をさせる回転手段及び拡大・縮小手段とを有することを特徴とする画像形成装置。
【請求項２】
前記表示手段は、前記回転手段と前記拡大・縮小手段とを選択させる選択手段を有することを特徴とする請求項１記載の画像形成装置。
【請求項３】
前記比較手段は、前記用紙サイズ検出手段によって検出された主走査・副走査方向と前記原稿サイズ検出手段によって検出された原稿サイズを比較することを特徴とする請求項１記載の画像形成装置。
【請求項４】
前記選択手段によって、選択された前記回転手段または前記拡大・縮小手段によって、前記画像データを回転または縮小した後、前記手差し給紙装置にセットされた用紙に画像を形成することを特徴とする請求項２記載の画像形成装置。
【発明の詳細な説明】
【技術分野】
【０００１】
本発明は、任意のサイズの用紙に印刷可能とする画像形成装置に関し、特に、不定形サイズの用紙を給紙可能な手差し給紙トレイを具備する画像形成装置に関する。
【背景技術】
【０００２】
従来、複写機、プリンタ等の画像形成装置においては、装置本体に、記憶媒体である用紙を複数枚連続で複写、あるいはプリント可能な様に通常１００〜５００枚程度の用紙を搭載可能な給紙トレイを持っていることが一般的である。また、頻繁に使用する用紙のサイズ、種類が１種類とは限らないので、複数の給紙トレイを用意することが一般的である。
【０００３】
また、上記のように、複数の給紙トレイを持っていたとしても、一時的に各給紙トレイにセットされた用紙とは異なった種類の用紙に対し、複写、あるいはプリントを実行したいという要求が発生することが想定される。こういった要求に対し、一般的には、給紙トレイとは別に、手差し給紙装置を設けることが行われている。また、本体給紙トレイでは、一般的にはセットされた用紙のサイズが判別可能なように定型サイズの用紙に対してのみ搭載可能な様に設定されている場合が多く、不定形サイズの用紙に対する複写要求は手差し給紙装置により実現している場合が多い。
【０００４】
また、手差し給紙装置の目的としては、不定形サイズへの要求のみでなく、厚紙、ＯＨＰ用紙、封筒、葉書等の記録媒体への給紙要求に応えるために用意されているが、用紙を給紙搬送し、適切な位置に画像を形成するためには、ソフトウェアにより用紙のサイズが判明していなければならない。
【０００５】
そのため、ユーザに操作部より使用する用紙の縦横サイズを入力してもらう様にしている場合がある。また、特開平７−６１０８６号公報（以下、特許文献１）では、様々にサイズの異なる長尺用紙に対し用紙をセットするだけで用紙サイズに合わせた印刷が用意にできるプリンタ装置が提供されている。具体的には、手差しトレイに用紙を設置した時点で用紙のセットガイド板の位置等により、用紙のサイズを自動的に検出する方法である。
一方、複写機の場合、原稿のサイズはスキャナ部に搭載されている原稿サイズ検知センサによりあらかじめ検知し、原稿サイズに応じたサイズで原稿の読み取りを行うことが行われている。プリンタでは、ホストコンピュータによる送信画像データにサイズ情報を付加することが一般的に行われている。
【特許文献１】特開平７―６１０８６号公報
【発明の開示】
【発明が解決しようとする課題】
【０００６】
手差しトレイにセットされた用紙の主走査方向のサイズと実際にスキャナ部、あるいはホストコンピュータ等から送信される画像データの主走査方向のサイズが異なる場合に、画像データが用紙に入りきらずデータの欠損が生じる恐れがある。
また、入力画像データのサイズが用紙サイズに比較して小さい場合には、最終画像に余分な余白部分が発生してしまう。
【０００７】
本発明は係る問題に鑑みてなされたものであり、画像データが欠損することなく、また、余分な余白部分が少ない画像を手差しトレイの用紙に画像を形成し、画像形成品質の向上を図ると共に、画像欠損、余白の少ない画像形成を実施するかをユーザが選択することができる画像形成装置を提供することを目的とする。
【課題を解決するための手段】
【０００８】
上記目的を達成するために、請求項１記載の画像形成装置は、定型サイズの複数の種類の用紙を複数枚搭載可能な給紙トレイ装置を１つあるいは複数個有し、給紙トレイ装置とは別に、該給紙トレイ装置でセットされた用紙とは別種の用紙を一時的に給紙可能な手差し給紙装置と、原稿を読み取る読み取り手段によって読み取った画像データを用紙に画像形成する画像形成手段とを有する画像形成装置において、手差し給紙装置にセットされた用紙の搬送方向及び主走査・副走査方向のサイズを検出する用紙サイズ検出手段と、原稿のサイズを検出する原稿サイズ検出手段と、用紙サイズ検出手段による検出結果と原稿サイズ検出手段による検出結果とを比較する比較手段と、比較手段による比較結果を表示させる表示手段と、表示手段に表示された表示結果に応じて、画像データを回転させるか拡大・縮小をさせる回転手段及び拡大・縮小手段とを有することを特徴とする。
【０００９】
請求項２記載の発明は、請求項１記載の画像形成装置であって、表示手段は、回転手段と拡大・縮小手段とを選択させる選択手段を有することを特徴とする。
【００１０】
請求項３記載の発明は、請求項１記載の画像形成装置であって、比較手段は、用紙サイズ検出手段によって検出された主走査・副走査方向と原稿サイズ検出手段によって検出された原稿サイズを比較することを特徴とする。
【００１１】
請求項４記載の発明は、請求項２記載の画像形成装置であって、選択手段によって、選択された回転手段または拡大・縮小手段によって、画像データを回転または縮小した後、手差し給紙装置にセットされた用紙に画像を形成することを特徴とする。
【発明の効果】
【００１２】
以上の説明から、本発明の画像形成装置では、手差し給紙装置にセットされた用紙の搬送方向と主走査・副走査方向のサイズと画像データのサイズを検出し、それぞれを比較して比較結果を表示部に表示することで、用紙サイズと画像データのサイズが異なる場合に、ユーザは、表示部に表示された比較結果を参照して、画像データを回転もしくは拡大・縮小することで、適した画像を用紙に形成することができる。
【発明を実施するための最良の形態】
【００１３】
次に添付図面を参照して、本発明の実施形態を説明する。
図１は、電子写真方式のプリンタの構成を示した図である。プリンタ１００は、イエロー、マゼンタ、シアン、ブラック（以下、Ｙ、Ｍ、Ｃ、Ｋと記す）のトナー像を生成するための４つのプロセスユニット６Ｙ、６Ｍ、６Ｃ、６Ｋを備えている。これらは、画像形成物質として、互いに異なる色のＹ、Ｍ、Ｃ、Ｋトナーを用いるが、それ以外は同様の構成になっており、寿命到達時に交換される。
【００１４】
また、プロセスユニット６Ｙ、６Ｍ、６Ｃ、６Ｋの下方には露光装置７が配設されている。また、プリンタ本体の上部には画像データ処理装置Ｅ１が配設されている。画像データ処理装置Ｅ１は、ＰＣ等から送られてくる画像情報信号に基づいて露光走査制御信号を生成して露光装置７ｂに送る。潜像形成手段たる露光装置７は、露光走査制御信号に基づいて発したレーザ光Ｌをプロセスユニット６Ｙ、６Ｍ、６Ｃ、６Ｋにおけるそれぞれの感光体に照射する。この照射を受けて露光された感光体１Ｙ、１Ｍ、１Ｃ、１Ｋ上には、Ｙ、Ｍ、Ｃ、Ｋ用の静電潜像が形成される。なお、露光装置７は、光源から発したレーザ光Ｌをモータによって回転駆動したポリゴンミラーで走査しながら、複数の光学レンズやミラーを会して感光体に照射するものである。また、露光装置７の筐体には、その上方に配設された各感光体１Ｙ、１Ｍ、１Ｃ、１Ｋから落下してくるトナーによる内部部品の汚染を防止するために、図示しないシール部材を設けている。
【００１５】
各プロセスユニット６Ｙ、６Ｍ、６Ｃ、６Ｋの上方には、第１転写ユニット１５と第２転写ユニット２０とを有する転写手段が配設されている。第１転写ユニット１５は、中間転写ベルト８やベルトクリーニング装置１０などを有している。また、４つの１次転写ローラ９Ｙ、９Ｍ、９Ｃ、９Ｋ、２次転写バックアップローラ１２，クリーニングバックアップローラ１３、テンションローラ１４なども備えている。中間転写体たる中間転写ベルト８は、これら７つのローラに張架されながら、１次転写ローラ以外の少なくとも何れか１つのローラの回転駆動によって図中半時計回りに無端移動する。
【００１６】
４つの１次転写ローラ９Ｙ、９Ｍ、９Ｃ、９Ｋは、このように無端移動する中間転写ベルト８を感光体１Ｙ、１Ｍ、１Ｃ、１Ｋとの間に挟み込んでそれぞれ１次転写ニップを形成している。そして、図示しない電源の供給を受けて、トナーとは逆極性（例えばプラス）の１次転写バイアスを中間転写ベルト８の裏面（ループ内周面）に印加する。中間転写ベルト８は、この１次転写バイアスによるトナー像の静電転写を実現するのに適した電気抵抗条件になっている。具体的には、樹脂フィルムやゴムなどからなる５０〜５００μｍの厚みのベルト基体に、低表面エネルギーの材料からなる表面層がコートされ、全体の体積抵抗値が１０6〜１０14（Ωｃｍ）になっている。また、表面抵抗率は、１０5〜１０15（Ω／□）の範囲に調整されている。４つの１次転写ローラ９Ｙ、９Ｍ、９Ｃ、９Ｋの他に配設された３つのローラは、全て電気的に接地されている。
【００１７】
中間転写ベルト８は、無端移動に伴ってＹ、Ｍ、Ｃ、Ｋ用の１次転写ニップを順次通過していく。各１次転写ニップでは、感光体１Ｙ、１Ｍ、１Ｃ、１Ｋ上のＹ、Ｍ、Ｃ、Ｋトナー像がニップ圧や１次転写バイアスの作用によって重ね合わせて１次転写される。これにより、中間転写ベルト８上に多重像たる４色重ね合わせトナー像（以下、４色トナー像という）が形成される。
【００１８】
第２転写ユニット２０は、第１転写ユニット１５の図中左側方にて、２次転写ローラ２１と、第１転写ユニット１５の２次転写バックアップローラ１２との間に中間転写ベルト８を挟み込むように配設されている。この挟み込みにより、第１転写ユニット１５の中間転写ベルト８と、第２転写ユニット２０の２次転写ローラ２１とが当接する２次転写ニップが形成されている。２次転写ニップでは、第１転写ユニット１５のアース接続された２次転写バックアップローラ１２と、図示しない電源によって２次転写バイアスが印加される２次転写ローラ２１との間に２次転写電界が形成される。そして、転写紙Ｐに、中間転写ベルト８上の４色トナー像が２次転写される。
【００１９】
２次転写ニップを通過したのりの中間転写ベルト８には、転写紙Ｐ上に２次転写されなかった転写残トナーが付着している。これは、ベルトクリーニング装置１０によってクリーニングされる。具体的には、中間転写ベルト８は、ループ外面（おもて面）側に当接するように配設されたベルトクリーニング装置１０と、ループ内面側に配設されたクリーニングバックアップローラ１３との間に挟まれる。そして、おもて面上の転写残トナーがベルトクリーニング装置１０に機械的あるいは静電的に回収されてクリーニングされる。なお、バイアス方式の４つの１次転写ローラ９Ｙ、９Ｍ、９Ｃ、９Ｋに代えて、電極から放電させるチャージャ方式のものを用いてもよい。
【００２０】
プリンタ本体の下部には、記録体送出装置の一部である送出部４０が配設されている。送出部４０は、収容手段たる第１紙カセット４１、第２カセット４２、及び手差しトレイ４３を備えている。また、２つのローラの当接によってレジストニップを形成するレジストローラ対４４、レジストクリーニングユニット４５、これら収容手段からレジストローラ対４４に転写紙を供給するための供給手段用搬送ローラ対５０、搬送路５３、図示しない路内紙センサなどを有している。
【００２１】
第１紙カセット４１と第２紙カセット４２とは、露光装置７の図中下方で鉛直方向に重なるように配設されており、それぞれ記録体である転写紙Ｐを複数枚重ねた紙束の状態で収容している。一方、手差しトレイ４３は、図中矢印で示すように、プリンタ本体の筐体に対して開閉可能に構成され、開かれた状態で紙束を収容する。
【００２２】
第１給紙ローラ４６、第２給紙ローラ４７は、それぞれ第１紙カセット４１、第２紙カセット４２内に収容されている紙束の一番の転写紙Ｐに当接している。そして、図示しない駆動手段によって回転駆動することで、一番上の転写紙Ｐを取り出しながら搬送路５３に通す。取り出しと前後して、レジストローラ対４４の両ローラがレジストニップで互いの表面をそれぞれ順方向に移動させるように回転駆動する。送出手段であるレジストローラ対４４の上方には、フォトセンサ等からなる図示しない紙検知センサが配設されている。紙カセットから取り出され始めた転写紙Ｐの先端側は、やがて搬送路５３の先にあるレジストローラ対４４のレジストニップを通過して紙検知センサに検知される。検知信号に基づいてレジストローラ対４４の駆動が停止して、転写紙Ｐの送り出しタイミングが計られる。
【００２３】
手差し給紙ローラ４８は、手差しトレイ２７上に収容（載置）されている紙束の一番上の転写紙Ｐに当接している。そして、図示しない駆動手段によって回転駆動することで、一番上の転写紙Ｐを取り出しながら搬送路５３に通す。そして、紙カセットの転写紙Ｐと同様にして、レジストローラ対４４にセットされる。
【００２４】
レジストローラ対４４の両ローラは、レジストニップで転写紙Ｐを強く押圧しながら回転することで、表面に紙粉や埃などが転移してきて汚れる。転移した汚れはレジストクリーニングユニット４５によってクリーニングされる。
【００２５】
レジストローラ対４４は、ローラ間に挟み込んだ転写紙Ｐを中間転写ベルト８上に一次転写された４色トナー像に密着させ得るタイミングで２次転写ニップに向けて送り出す。２次転写ニップで中間転写ベルト８上の４色トナー像がニップ圧や２次転写電界の影響を受けて転写紙Ｐに２次転写され、紙の白色と相まってフルカラー画像となる。
【００２６】
転写手段の図中上方には、画像データ処理装置Ｅ１の他、ＣＰＵやＲＡＭ等から構成される制御部Ｅ２、ボトル収容器６０、定着装置６１、排紙ローラ対６４などが配設されている。ボトル収容器６０内には、各プロセスユニット（６Ｙ、６Ｍ、６Ｃ、６Ｋ）内の現像器に補給するためのトナーを内包するトナーボトルＢＹ、ＢＭ、ＢＣ、ＢＫが納められている。
【００２７】
定着装置６１は、転写手段２次転写ニップの上方に配設されており、互いに当設部でそれぞれ順方向に表面移動するように回転しながら定着ニップを形成する定着ローラ対６２を有している。両定着ローラ内には、いずれも図示しないハロゲンランプ等の発熱手段が配設されている。２次転写ニップを通過した転写紙Ｐは、定着装置６１内の定着ニップに挟み込まれ、定着ローラ値６２によって加圧されながら加熱される。この加熱により、転写紙Ｐ上のフルカラー画像がこれを構成するトナーの軟化によって紙面に定着される。定着後の転写紙Ｐは、反転ガイド部材６３に沿って反転された後、排紙ローラ対６４を経て機外へと排出される。そして、プリンタ本体の筐体の上面に形成されたスタック部６５にスタックされる。
【００２８】
定着ローラ対６２は、それぞれ図示しない温度検知手段によって表面温度が検知される。温度検知手段は、プリンタ本体の筐体内の最上部に配設された制御部Ｅ２に送信する。制御部Ｅ２は、温度検知手段から送られてくる表面温度の検知結果に基づいて、定着ローラ対６２の発熱手段に対する電源供給ＯＮ／ＯＦＦ制御して、定着ローラ対６２の表面温度を一定範囲（目標範囲）に維持する。
【００２９】
以上のようにして、プリンタ１００は転写紙Ｐにフルカラー画像を形成することができる。プリンタ１００のように、感光体等の像担持体を複数並べて配設し、それぞれで形成した可視像を連続的に重ね合わせ転写して多色画像等の重ね合わせ画像を形成する方式であるタンデム方式に対し、１つの像担持体に可視像を形成して中間転写体に転写した後、再び像担持体に可視像を形成して中間転写体上の可視像に重ね合わせ転写する工程を繰り返して重ね合わせ画像を形成する方式もある。
【００３０】
この方式では、可視像の形成、転写という工程を繰り返して行わなくてはならない。一方、タンデム方式では、重ね合わせ転写すべき複数の可視像をそれぞれに対応する像担持体上でほぼ同時に形成することができるので、画像形成時間を大幅に短縮することができる。
【００３１】
次に、図２、３を参照して、手差しトレイについて説明する。
手差し給紙の場合、図２（ａ）に示されるように、通常は本体に収納されている手差しトレイを開放し、図２（ｂ）に示すように手差しトレイ４３上に用紙を載置し、用紙の大きさによっては、支持板１８を延ばして用紙載置面積を広げるようにしてもよい。一般的に手差しトレイ４３は、少量のコピー又は不定形サイズのコピーを行うためにあり、セットした用紙をガイドするためのフェンスが用紙の左右に設けられている。このフェンスの移動に応じてサイズが検知されるようになる。
【００３２】
図３に示すように、手差しトレイ４３には、セットした用紙をガイドするためのフェンスであるサイドフェンス１０１，１０２が設けられている。また、図４に示すように、サイドフェンス１０１，１０２にはそれぞれ歯車２００，２０１が備わっており、サイドフェンスを左右にスライドさせることで、歯車２００，２０１と回転歯車センサ３００がリンクして作動する。
【００３３】
回転歯車センサ３００は、内部に円形状の抵抗体が配置されており、回転角により抵抗値が変化する。回転変化角は抵抗値を電気的に検出し、ＡＤ変換することで、ソフトウェアが検出できる構成とする。回転変化角とサイドフェンス１０１，１０２の位置の相関性を関連付けることが可能なため、ソフトウェアはセットされた用紙の走査方向のサイズを連続的に、検出することができる。
【００３４】
また、図５に示すように、用紙サイズを段階的に検出する手差しトレイがある。
図５に示す手差しトレイは、サイドフェンス４００に摺動子２６が取り付けられており、サイドフェンス４００の移動に連動して摺動子２６は手差しトレイに組み込まれた手差しサイズ検知板２７上をスライドして、手差しサイズ検知板２７の各端子と接触し、接続状態によって用紙の幅が検出されるようになっている。
【００３５】
また、用紙搬送方向の用紙サイズ検出方法としては、例えば、用紙トレイの搬送方向に複数個の反射型センサを配置し、用意をトレイにセットした時点で、各反射センサの検出結果により、段階的に定型サイズの用紙のサイズを検出する。
【００３６】
次に、図６を参照して、画像形成装置の制御部の説明をする。
読み取り部５００と画像形成部５１０、制御部５２０、操作部５３０、手差し部５４０から構成されている。さらに、読み取り部５００は、原稿サイズ検知センサ５０１を有し、制御部５２０は、画像処理部５２１、メモリ５２２、ＣＰＵ５２３を有し、操作部５３０は、表示部５３１、選択部５３２を有し、手差し部５４０は、用紙サイズ検知センサ５４１を有する。
【００３７】
読み取り部５００では、コンタクトガラス上にセットされた原稿のサイズを原稿サイズ検知センサ５０１が読み取る。手差し部５４０では、手差しトレイにセットされた用紙のサイズを用紙サイズ検知センサ５４１が読み取り、制御部５２０のＣＰＵ５２３によって原稿サイズと用紙サイズの比較が行われ、比較結果を操作部５３０の表示部５３１に表示され、ユーザは、表示部５３１に表示された比較結果を参照して、選択部５３２によって原稿から読み取った画像データを回転処理また、拡大縮小処理を行うか選択する。また、読み取り部５００で読み取った原稿の画像データは、メモリ５２２で一時的に保持され、画像処理部５２１へ画像データが送られ、回転、拡大縮小処理が行われ、画像形成部５１０によって画像形成が実行される。
【００３８】
次に、図７を参照して、画像データの回転及び拡大縮小処理方法を説明する。
手差しトレイ１５にセットされた用紙のサイズ及び方向がＡ４縦送り方向で、コンタクトガラス上にセットされた原稿のサイズ及び方向がＢ５横方向の場合で説明する。
この時、手差しトレイ１５の主走査方向（搬送方向と垂直方向）のサイズ検知結果はＡ４の短か手方向のサイズ（２１０ｍｍ）を検出し、副走査方向のサイズ検知結果は、Ａ４の長手方向のサイズ（２９７ｍｍ）を検出する。また、原稿サイズ検知センサの検出結果は原稿がＢ５横方向にセットされていることを検出する。
【００３９】
手差しトレイ１５にＡ４縦送り方向にセットされ、原稿がＢ５横方向にセットされた場合に、回転処理、変倍処理を行わずに、そのまま複写を行ってしまうと画像データの一部がそこなわれたり、余計な余白が発生したりといった問題が生じてしまう。
【００４０】
そこで、図６に示す画像処理部５２１の回転処理によって、読み取った原稿の入力画像を回転させることで、入力画像と用紙サイズとの縦横が一致し、用紙サイズ内に画像を形成することができる。また、表示部５３１には、回転との画像データの方向と、手差しトレイにセットされた用紙サイズの比較結果が表示され、ユーザは、表示部に表示された比較結果を認識し、回転後の画像データに対し、拡大縮小処理を実行するか否かを選択部５３２によって選択する。
【００４１】
拡大縮小処理を選択した場合に、回転処理後の画像データはＢ５縦方向となるので、手差しトレイにセットされた用紙の方向（Ａ４縦）と一致しているがサイズが異なっている。そこで、手差しトレイにセットされた用紙になるべく余白なく画像形成を行うために、画像処理部５２１の拡大処理といった機能によって、画像データを拡大することで、原稿に対し、画像の欠損がほとんど無く、用紙のサイズに応じた最終画像が得られる。
【００４２】
以上の説明から、本発明の画像形成装置によれば、原稿サイズ検知センサ５０１で検知した原稿のサイズと用紙サイズ検知センサ３４１で検知した用紙サイズをＣＰＵ３２２で比較し、比較結果を表示部に表示する。ユーザは、比較結果を参照して、原稿サイズと用紙サイズが異なる場合には、選択部３３１にて読み取り部５００で読み取った原稿の画像データを回転または拡大・縮小処理を選択して、実行することで、用紙サイズに適した画像を用紙に形成させることができる。
【図面の簡単な説明】
【００４３】
【図１】本発明の実施形態における画像形成装置の構成を示した図である。
【図２】本発明の実施形態における手差しトレイの拡大した図である。
【図３】本発明の実施形態における手差しトレイの構成を示した図である。
【図４】本発明の実施形態における手差しトレイの構成を示した図である。
【図５】本発明の実施形態における手差しトレイの構成を示した図である。
【図６】本発明の実施形態における画像形成装置の制御部の構成を示した図である。
【図７】本発明の実施形態における画像処理方法を示した図である。
【符号の説明】
【００４４】
１０１、１０２    サイドフェンス
２００、２０１    歯車
３００  回転歯車センサ
５００    読み取り部
５０１    原稿サイズ検知センサ
５１０    画像形成部
５２０    制御部
５２１    メモリ
５２２    ＣＰＵ
５２３    画像処理部
５３０    操作部
５３１    選択部
５３２    表示部
５４０    手差し部
５４１    用紙サイズ検知センサ
【図１】
2006072224.tif 000003
【図２】
2006072224.tif 000004
【図３】
2006072224.tif 000005
【図４】
2006072224.tif 000006
【図５】
2006072224.tif 000007
【図６】
2006072224.tif 000008
【図７】
2006072224.tif 000009